(57)【要約】【課題】従来の打撃練習具は、複雑で高価であったり、練習用に特別の打撃部材を購入するような必要があった。【解決手段】ゴルフのパターやグランドゴルフのクラブのような打撃部材に取り付ける打撃練習具である。ほぼ半球状に形成した打球体と、パターのような打撃部材への取り付け、取り外し可能な固定部から構成する。打球体の中心に接触検知部を設ける。【選択図】        図１
2005237830.tif 000002
【特許請求の範囲】
【請求項１】
ゴルフのパターやグランドゴルフのクラブのような打撃部材に取り付ける打撃練習具であって、
ほぼ半球状に形成した打球体と、
パターのような打撃部材への取り付け、取り外し可能な固定部からなり、
上記の打球体の曲面には、打撃部材の側から最も離れた最端部に接触検知部を設け、
検知部によって検知した信号を音、光などに変換して表示する表示部を設け、
接触検知部が、ゴルフボールとの接触を検知した場合に、
ボールとの接触信号を音、光などに変換して表示するように構成した、
打撃練習具。
【請求項２】
ほぼ半球状の打撃体に取り付けた接触検知部は、
可動部を持ち、機械的なエネルギーで接点を開閉して信号を発信する装置である、
請求項１記載の打撃練習具。
【請求項３】
ほぼ半球状の打撃体に取り付けた接触検知部は、
対象物に無接触で信号を発信する近接スイッチである、
請求項１記載の打撃練習具。
【請求項４】
ほぼ半球状の打撃体に取り付けた接触検知部は、
対象物との接触で、一部の抵抗値の増加と、一部の抵抗値の減少から信号を発信する圧力センサーである、
請求項１記載の打撃練習具。
【発明の詳細な説明】
【技術分野】
【０００１】
本発明は、ゴルフやグランドゴルフ、ゲートボールなどの球を打撃して競技する場合に使用する打撃練習具に関するものである。
【背景技術】
【０００２】
ゴルフの打撃技術を向上させるために各種の装置が開発されている。
【特許文献１】特開２００１−３５３２４９
【特許文献２】特開２００１−５４６０６
【特許文献３】特開２００２−２０４８４６
【特許文献４】特開２００２−３３１０５９
【発明の開示】
【発明が解決しようとする課題】
【０００３】
前記した従来の打撃練習具にあっては、次のような問題点がある。
＜１＞ある種の装置は打撃部の移動軌跡を光線とセンサーで判断するなど、複雑で高価であって一般のゴルファーが購入して使用できる範囲のものではない。
＜２＞他の種類の装置は、練習のために専用のクラブを使用しなければならず、ゴルファーをそうした特殊な構造のクラブを購入する必要があり、不経済である。
＜３＞また練習のための専用のクラブを使用した場合に、練習では理想的な打撃の感覚をつかむことができたとしても、実際にゴルフ場では別のクラブを使用することから、同一の感覚で打撃をすることが困難である。
【課題を解決するための手段】
【０００４】
上記のような従来の装置の課題を解決した本発明の打撃練習具は、ゴルフのパターやグランドゴルフのクラブのような打撃部材に取り付ける打撃練習具であって、ゴルフのパターのような打撃部材に取り付ける打撃練習具であって、ほぼ半球状に形成した打球体と、パターのような打撃部材への取り付け、取り外し可能な固定部からなり、上記の打球体の曲面には、打撃部材の側から最も離れた最端部に接触検知部を設け、検知部によって検知した信号を音、光などに変換して表示する表示部を設け、接触検知部が、ゴルフボールとの接触を検知した場合に、ボールとの接触信号を音、光などに変換して表示するように構成した、打撃練習具特徴としたものである。
【発明の効果】
【０００５】
本発明の打撃練習具は以上説明したようになるから次のような効果を得ることができる。
＜１＞  構造が簡単な練習具を使用することで、正確な打撃フォームを会得することができる。
＜２＞正確なフォームで打撃がなされた場合に、その結果を音や光で知らせることができるから、練習者は飽きることがなく、興味を維持しながら繰り返し練習をすることができる。
＜３＞複雑で高価な装置とは異なり、一般のゴルファーが簡単に購入して使用することができる。
＜４＞練習のために専用のクラブを必要としないから、ゴルファーは手持ちのクラブを使用して練習することができ、経済的である。
＜５＞自分の手持ちのクラブで練習して理想的な打撃の感覚をつかむことができれば、そのクラブを実際にゴルフ場で使用してプレイができるから、同一の理想的な感覚を思い出して打撃をすることができる。
【発明を実施するための最良の形態】
【０００６】
以下図面を参照しながら本発明の打撃練習具を、ゴルフのパターを実施例として説明する。
【実施例】
【０００７】
＜１＞全体の構成。
本発明の打撃練習具は、手持ちのゴルフのパターやグランドゴルフのクラブのような打撃部材Ａに取り付ける打撃練習具である。
したがって、通常のパターやクラブを持っているゴルファーならだれでも、その手持ちのパターを利用して練習することができるものであって、特殊なパターを購入する必要はない。
【０００８】
＜２＞打球体１。
本発明の練習具は、打球体１と固定部２から構成する。
打球体１は、その表面が「球面」である、ほぼ半球状に形成したブロック体であり、内部に後述する接触検知部を収納する。
打球体１は表面が球面であるから、打撃時にボルト２４接触する理想的な打撃点は１点だけとなる。
すなわちこの１点とは、打球体を打撃部材Ａに取り付けた場合に、打撃部材Ａから最も離れた最端部のことである。
【０００９】
＜３＞接触検知部。
上記の打撃体の曲面において、打撃部材の側から最も離れた最端部には接触検知部を設ける。
最端部とは、打撃部材に取り付けた時に、ほぼ半球状の打撃部を上から見て、最も突出した点であり、いわゆるスイートスポットのことである。
そして接触検知部とボールとの接触信号を音声、光などに変換して発信するように構成する。
【００１０】
ほぼ半球状の打撃体に取り付けた接触検知部として例えば、可動部を持ち、機械的なエネルギーで接点を開閉して信号を発信する装置を使用することができる。
例えば市販のマイクロスイッチ、リミットスイッチなど公知のスイッチ類がこの範囲に属すものである。
【００１１】
接触検知部として、例えば対象物に無接触で信号を発信する近接スイッチを使用することができる。
例えば、赤外線を発信し、その反射波を受信して検知する赤外線センサーを採用することができる。
赤外線センサーは、赤外線の熱線としての性格を利用するタイプ、赤外線の電磁波としての性格を利用するタイプのいずれをも採用できる。
あるいはゴルフボールに対応する処理を施しておけば、高周波発信型、静電容量型、磁気型などの近接スイッチを採用することができる。
あるいはマイクロ波を発信し、ボールからの反射、または減衰を受けたマイクロ波を受信するマイクロ波センサーを採用することもできる。
あるいは超音波マイクロフォンで、ボールから反射してくる長音波を受信する超音波センサーを採用することもできる。
【００１２】
接触検知部として例えば、ゴルフボールとの接触で、一部の抵抗値の増加と、一部の抵抗値の減少から信号を発信する圧力センサーを採用することができる。
拡散型半導体圧力センサーなどは、感圧部であるダイアフラムの直径が針の穴（0.8mm）程度の微小なものであるから、極めて限定した位置での接触を検知することができる。
あるいは起歪体に荷重が加わると、その重量に比例して発生するひずみを検出するロードセルを採用することもできる。
あるいは加圧することによって抵抗値が絶縁状態から導電状態に急激に変化する加圧導電ゴムを使用したスイッチを採用することもできる。
この例のように、ゴルフボールとの接触の強度の違いを検出できるセンサーを採用すれば、打撃の圧力に比例して発信を発信することができる。
【００１３】
＜４＞表示部。
検知部によって検知した信号は、各種の変換器によって音、光などに変換する。
変換した信号は、音、光として表示部において表示する。
スイッチの開閉によって電源が入力し、発音装置や発光装置を起動してその結果を表示する装置は公知である。
音や光を発信することによって、使用者はゴルフボールが接触検知部、すなわち打球体のスイートスポットに当ったことを知ることができる。
【００１４】
＜５＞固定部２。
上記の打球体１をパターのような打撃部材Ａへの取り付けるために固定部２が必要となる。
そのために、例えば断面「コ」字状の固定部２を採用する。
この固定部２は鉛直の壁板２１と、その上部から直交方向に突設させた上棚板２２と、その下端から直交方向に突設させた下棚板２３とによって断面「コ」字状に形成する。
この上棚板２２と下棚板２３とは、壁板２１に対して同一方向に向けて突設する。
そして両棚板の間隔は、打撃部材Ａの打撃面の間隔よりも広い間隔に構成する。
例えば打撃部材Ａがゴルフのパターである場合には、上棚板２２と下棚板２３との間隔は、平均的なパターの打撃面の間隔よりも広く構成する。
そして上棚板２２からは鉛直方向にはナット穴を開口し、このナット穴にボルト２４を挿入する。
【００１５】
＜６＞打撃部材Ａへの取り付け。
打球体１を打撃部材Ａに取り付けるには、上棚板２２と下棚板２３との間に打撃部材Ａの打撃面を位置させ、上からナット穴にボルト２４を挿入してねじ込んで行なう。
すると下には下棚板２３が存在することから、打撃部材Ａの打撃面を上下から強固に締め付けられて、打球体１を確実に取り付けることができる。
反対にボルト２４を緩めれば簡単に取り外すことができる。
【００１６】
＜７＞方向指示ロッド３。
上記した打球体１とは別の位置には、棒状の方向指示ロッド３を突設して取り付けることもできる。
例えば、固定具の上棚板２２の鉛直端面に、打球体１とは反対の方向に向け、かつ壁板２１とは直交する方向に向けて突設する。
すると、パターなどの打撃部材Ａに、固定部２を正確に取り付けると、方向指示ロッド３は打撃部材Ａを移動させるべき方向を指示することになる。
【００１７】
＜８＞取り付け方法。
次に使用方法の一例として、ゴルフのパターに本発明の打撃練習具を使用する例を説明する。
まず固定具の上棚板２２と下棚板２３の間にパターのヘッドの打撃面を位置させ、壁板２１を打撃面に直接、接触させて状態で、ボルト２４を締め付ける。
この場合にヘッドのどの位置にでも取り付ければよいのではなく、一定の取り付け位置が決まっている。
すなわちヘッドには、打撃した時にボールに対してヘッドの力が最も効率的に伝わるスイートスポットが存在する。
そこで本発明の練習具を、ヘッドに取り付ける場合には、ヘッドのスイートスポットに対応する位置に、打球体１の頂点が位置するように配置して取り付ける。
【００１８】
＜９＞打撃練習方法。
本発明の練習具を打撃部材Ａ、例えば自分の愛用のゴルフのパターの打撃面に、前記した配置にしたがって取り付ける。そしてゴルフのボールを繰返し打つ。  
練習具の打球体１の頂点は、前記したようにスイートスポットに一致しているから、パターを振る方向が、打撃したい方向に正確に一致していれば、打球体１の頂点がボールの打撃者側の頂点に当たる。
すると、ボールは正確に打撃線上を走行してゆく。
その場合にパターの移動方向を、方向指示ロッド３の示す方向に一致させる意識をもって練習を繰り返せば、スイングの技術や勘を速く体得することができる。
【００１９】
＜１０＞音や光による表示。
本発明の打球体では、その曲面には、打撃部材の側から最も離れた最端部に接触検知部を設けてある。
そして検知部によって検知した信号を音、光などに変換して表示する表示部が設けてある。
したがって、ゴルフボールが曲面の最端部の１点に当った場合に、接触検知部がゴルフボールとの接触を検知し、ボールとの接触信号を音、光などに変換して表示する。
したがって打撃者は、正確な位置で打撃した場合には例えば軽快な打撃音や、閃光でその状態を知ることができる。
【００２０】
＜１１＞打撃方向、位置がずれた場合。
打球体１の頂点と、ボールの打撃者側の頂点が一致しなかった場合にはボールは打撃線上から外れた方向に走行してゆく。
パターが傾いていたり、正確な位置で打撃できなかったことによって、ボールの打撃線がずれてしまうことは、本発明の装置を使用しなくとも当然である。（図５の左側）
しかし特に本発明の打球体１は球面を持っている。
そのために、わずかな位置のずれが大きく影響を与えて、打撃する予定の線とはまったく異なった方向に転がってゆく。（図５の右側）
従来のように打撃者は、パターだけで練習した場合には、打撃線のずれや打撃点の誤差はわずかな違いとしてしか表現されない。
そのために自分のくせを十分に確認することができない。
しかし本発明の装置では上記したようにわずかなずれが拡大されて大きく表現されるから、その状態を見ることによって、スイートスポットがボールの打撃者側の頂点に正確に当たっていないことが明確に理解することができごまかしが通用しないことになる。
こうして、ごまかしのない練習を繰返すことによって、スイートスポットをボールの打球体の頂点に当てる技術や勘、正確なフォームを体得することができる。
実際にゴルフ場でプレーをするときには、本発明の練習具を取り外して使用すれば、練習で使った物と同一のパターで打撃することができるから、練習時の技術をそのまま復元することができる。
練習具を取り外したときの重量の変化が問題であれば、同じ程度の重りをパターに張り付けて使用することもできる。
なお、以上は打撃部材Ａとしてゴルフのパターに使用する例を説明したが、ゲートボールその他の打撃部材Ａに取り付けることができ、その場合に同様の効果を得られることはもちろんである。
【図面の簡単な説明】
【００２１】
【図１】本発明の打撃練習具の実施例の説明図。
【図２】打撃練習具をパターに取り付け状態の説明図。
【図３】打撃練習具をパターに取り付けた状態の側面図。
【図４】接触を検知する構造の一例を示す説明図。
【図５】本発明の練習具を使用した場合の効果を示す説明図。
【符号の説明】
【００２２】
１：打撃体
２：固定部
３：方向指示ロッド
４：接触検知部
【図１】
2005237830.tif 000003
【図２】
2005237830.tif 000004
【図３】
2005237830.tif 000005
【図４】
2005237830.tif 000006
【図５】
2005237830.tif 000007